(57)【要約】【課題】本発明は、遠隔コントローラに電源スイッチ機能切換回路を設け、ラインの省線化、軽量化及び誤操作防止を行うことを目的とする。【解決手段】本発明による制御装置本体の遠隔電源制御装置は、制御装置本体(1)と遠隔コントローラ(7)とを2本のライン(2,3)で接続し、各ライン(2,3)を電源と信号線の伝送を兼用とし、電源オン指令(50)によって制御装置本体(1)を駆動し、電源オフ指令(51)によって駆動停止とする構成である。【選択図】図１
2006271059.tif 000002
【特許請求の範囲】
【請求項１】
制御装置本体(1)を遠隔コントローラ(7)で遠隔制御するようにした制御装置本体の遠隔電源制御装置において、
前記制御装置本体(1)は、初期電源(11)及びメイン電源(12)と、前記初期電源(11)に接続された電源オン検出回路(30)と、前記電源オン検出回路(30)に接続されると共に前記メイン電源に接続された電源制御回路(10)と、前記電源制御回路(10)に接続されたメイン制御回路(14)と、前記メイン制御回路(14)、前記メイン電源(12)及び前記電源オン検出回路(30)に接続された第１通信回路とにより構成され、
前記遠隔コントローラ(7)は、電源スイッチ機能切換回路(40)と、前記電源スイッチ機能切換回路(40)に接続されたコントローラ用電源(21)及び第２通信回路(22)と、前記第２通信回路(22)に接続され前記電源スイッチ機能切換回路(40)に接続されたコントローラ用制御回路(23)とから構成され、
前記メイン電源(12)と前記コントローラ用電源(21)とは２本のみのライン(2,3)で接続され、前記電源オン検出回路(30)、前記メイン電源(12)及び前記第１通信回路(13)と前記電源スイッチ機能切換回路(40)、前記コントローラ用電源(21)及び第２通信回路(22)とは、前記各ライン(2,3)を介して接続され、
前記電源スイッチ機能切換回路(40)からの電源オン指令(50)が前記各ライン(2,3)に供給され、前記電源スイッチ機能切換回路(40)からの電源オフ指令(51)が前記コントローラ用制御回路(23)に供給されるように構成したことを特徴とする制御装置本体の遠隔電源制御装置。
【請求項２】
前記電源スイッチ機能切換回路(40)は、電源(67)に接続され第１、第２接点(64,66)を第１切換片(70)で切換える構成の第１切換スイッチ(62)と、前記第１切換スイッチ(62)と連動し第３、第４接点(65,68)を第２切替片(71)で切換える構成の第２切換スイッチ(63)と、前記各切換片(70,71)間に接続されワンパルス発生型の電源スイッチ(72)と、前記第１、第３接点(64,65)及び前記各ライン(2,3)に接続されたＤＣ／ＤＣ電源(80)と、前記ＤＣ／ＤＣ電源(80)に接続され前記第１、第２切換スイッチ(62,63)を作動させる機能切換用リレー(60)の励磁部(61)とからなり、前記電源スイッチ(72)のワンプッシュにより前記各ライン(2,3)を経て電源オン指令(50)が前記電源オン検出回路(30)に送られて前記制御装置本体(1)が駆動されることにより前記第１、第２切換片(70,71)が前記第２、第４接点(66,68)と接続され、前記制御装置本体(1)の駆動中において前記電源スイッチ(72)を再度ワンプッシュとすることにより、前記電源(67)が接地されてＬＯＷ状態の前記電源オフ指令(51)が前記コントローラ用制御回路(23)に供給される構成としたことを特徴とする請求項１記載の制御装置本体の遠隔電源制御装置。
【請求項３】
前記機能切換リレーの励磁部(61)は、前記メイン電源(12)に接続されたＤＣ／ＤＣ電源(80)によって駆動される構成としたことを特徴とする請求項１又は２記載の制御装置本体の遠隔電源制御装置。
【発明の詳細な説明】
【技術分野】
【０００１】
本発明は、制御装置本体の遠隔電源制御装置に関し、特に、制御装置本体と遠隔コントローラとの間を２本のみのラインで接続し、省線化及び誤操作防止を得るための新規な改良に関する。
【背景技術】
【０００２】
従来、用いられていたこの種の制御装置本体の遠隔電源制御装置としては、文献名等を開示していないが、図３で示す構成を挙げることができる。
すなわち、図３において符号１で示されるものは制御装置本体であり、この制御装置本体１は複数のライン２，３，４，５，６を介して遠隔コントローラ７が接続されている。
【０００３】
前記制御装置本体１は、電源制御回路１０、初期電源１１、メイン電源１２、通信回路１３及びメイン制御回路１４より構成され、前記遠隔コントローラ７は、電源スイッチ２０、コントローラ用電源２１、通信回路２２及びコントローラ用制御回路２３より構成されている。
【０００４】
従って、遠隔コントローラ７の電源スイッチ２０の作動により、電源制御回路１０を介してメイン電源１２、初期電源１１及びコントローラ用電源２１が立上り、各通信回路１３，２２を介してコントローラ用制御回路２３及びメイン制御回路１４が立上り、前記メイン制御回路１４の作動が開始される。
【発明の開示】
【発明が解決しようとする課題】
【０００５】
従来の制御装置本体の遠隔電源制御装置は、以上のように構成されていたため、次のような課題が存在していた。
すなわち、制御装置本体と遠隔コントローラとの間には、各機能毎に専用のラインを設けているため、ラインの数が多く、例えば、図３の構成の場合には、５本のラインを必要とし、このラインが長尺の場合には、径が大径であるが故に重く、その設置にも多大の労力を必要とした。
【課題を解決するための手段】
【０００６】
本発明による制御装置本体の遠隔電源制御装置は、制御装置本体を遠隔コントローラで遠隔制御するようにした制御装置本体の遠隔電源制御装置において、前記制御装置本体は、初期電源及びメイン電源と、前記初期電源に接続された電源オン検出回路と、前記電源オン検出回路に接続されると共に前記メイン電源に接続された電源制御回路と、前記電源制御回路に接続されたメイン制御回路と、前記メイン制御回路、前記メイン電源及び前記電源オン検出回路に接続された第１通信回路とにより構成され、前記遠隔コントローラは、電源スイッチ機能切換回路と、前記電源スイッチ機能切換回路に接続されたコントローラ用電源及び第２通信回路と、前記第２通信回路に接続され前記電源スイッチ機能切換回路に接続されたコントローラ用制御回路とから構成され、前記メイン電源と前記コントローラ用電源とは２本のみのラインで接続され、前記電源オン検出回路、前記メイン電源及び前記第１通信回路と前記電源スイッチ機能切換回路、前記コントローラ用電源及び第２通信回路とは、前記各ラインを介して接続され、前記電源スイッチ機能切換回路からの電源オン指令が前記各ラインに供給され、前記電源スイッチ機能切換回路からの電源オフ指令が前記コントローラ用制御回路に供給されるようにした構成であり、また、前記電源スイッチ機能切換回路は、電源に接続され第１、第２接点を第１切換片で切換える構成の第１切換スイッチと、前記第１切換スイッチと連動し第３、第４接点を第２切替片で切換える構成の第２切換スイッチと、前記各切換片間に接続されワンパルス発生型の電源スイッチと、前記第１、第３接点及び前記各ラインに接続されたＤＣ／ＤＣ電源と、前記ＤＣ／ＤＣ電源に接続され前記第１、第２切換スイッチを作動させる機能切換用リレーの励磁部とからなり、前記電源スイッチのワンプッシュにより前記各ラインを経て電源オン指令が前記電源オン検出回路に送られて前記制御装置本体が駆動されることにより前記第１、第２切換片が前記第２、第４接点と接続され、前記制御装置本体の駆動中において前記電源スイッチを再度ワンプッシュとすることにより、前記電源が接地されてＬＯＷ状態の前記電源オフ指令が前記コントローラ用制御回路に供給される構成であり、また、前記機能切換リレーの励磁部は、前記メイン電源に接続されたＤＣ／ＤＣ電源によって駆動される構成である。
【発明の効果】
【０００７】
本発明による制御装置本体の遠隔電源制御装置は、以上のように構成されているため、次のような効果を得ることができる。
すなわち、制御装置本体と遠隔コントローラ間を２本のみのラインで接続し、電源スイッチ機能切換回路で電源オン指令と電源オフ指令とを有しているため、省線化を達成することができ、軽量化とすることができる。
【発明を実施するための最良の形態】
【０００８】
本発明は、制御装置本体と遠隔コントローラとの間を２本のみのラインで接続し、省線化、軽量化及び誤操作防止等を得るようにした制御装置本体の遠隔電源制御装置を提供することを目的とする。
【実施例】
【０００９】
以下、図面と共に本発明による制御装置本体の遠隔電源制御装置の好適な実施の形態について説明する。
尚、従来例と同一又は同等部分には同一符号を付して説明する。
図１において符号１で示されるものは制御装置本体１であり、この制御装置本体１は、メイン電源１２及び初期電源１１に接続された電源オン検出回路３０と、この電源オン検出回路３０及び前記メイン電源１２に接続された電源制御回路１０と、前記電源制御回路１０に接続されると共にモデム３１を有する第１通信回路１３に接続されたメイン制御回路１４と、前記第１通信回路１３と前記電源オン検出回路３０を接続するための内部ライン３２，３３とから構成されている。
【００１０】
次に、符号７で示されるものは遠隔コントローラであり、この遠隔コントローラ７は、電源スイッチ機能切換回路４０と、前記電源スイッチ機能切換回路４０に内部ライン４１，４２を介して接続されモデム４３を有する第２通信回路２２と、前記第２通信回路２２に接続されたコントローラ用制御回路２３とから構成されている。
【００１１】
前記制御装置本体１のメイン電源１２と前記遠隔コントローラ７のコントローラ用電源２１とは２本のみのライン２，３によって接続され、前記内部ライン３２，３３及び４１，４２は前記ライン２，３に各々接続されている。
【００１２】
前記電源スイッチ機能切換回路４０は、電源オン指令５０を前記各ライン２，３に供給し、電源オフ指令５１を前記コントローラ用制御回路２３に供給することができるように構成されている。
【００１３】
前記電源スイッチ機能切換回路４０は、図２で示されるように構成されている。
すなわち、前記ライン３，４は機能切換用リレー６０の励磁部６１によって作動する第１、第２切換スイッチ６２，６３の第１、第３接点６４，６５に接続され、第１切換スイッチ６２の第２接点６６は抵抗Ｒ１を介して電源６７に接続されると共に、第２切換スイッチ６３の第４接点６８は接地されている。
【００１４】
前記各切換スイッチ６２，６３の第１、第２切換片７０，７１は、ワンプッシュ型でワンパルスを発生するとオフ状態に復帰する構成の電源スイッチ７２が接続され、前記各ライン３，４にはＤＣ／ＤＣ電源８０が接続され、このＤＣ／ＤＣ電源８０の出力によって機能切換用リレー６０の励磁部６１が励磁されて各切換スイッチ６２，６３の各切換片７０，７１の切換えが行なわれるように構成されている。
【００１５】
次に、動作について述べる。まず、図２は前記制御装置本体１がオフ状態とすると、この状態で電源スイッチ７２を押してワンプッシュすると、ワンパルスが発生して電源スイッチ７２はオフに復帰する。
【００１６】
前記ワンパルスは第１、第３接点６４，６５を経て電源オン指令５０としてライン２，３を経て電源オン検出回路３０に入力されると、前記電源制御回路１０及びメイン電源１２を経てＤＣ／ＤＣ電源８０が立上り、機能切換用リレー６０の励磁部６１が励磁されて各切換片７０，７１が破線の状態となり、制御装置本体１は駆動状態が継続される。
従って、前記各ライン２，３は、通信用の電源オン指令５０の伝送と、電源の供給とを兼用して行うことができるように構成されている。
【００１７】
次に、前述の図１の駆動状態では、機能切換用リレー６０の励磁部６１が励磁されているため、この状態で、電源スイッチ７２をワンプッシュしてワンパルス入力すると、各切換スイッチ６２，６３の各切換片７０，７１が破線で示すように第２、第４接点６６，６８に切換えられているため、電源６７は接地され、ＬＯＷ状態の電源オフ指令５１が前記コントローラ用制御回路２３に入力され、各通信回路２２，１３を介してメイン制御回路１４及び電源制御回路１０が制御されてメイン電源１２がオフとなり制御装置本体１の駆動はオフ状態となる。
【００１８】
前述のようにオフ状態となると、ＤＣ／ＤＣ電源８０もオフとなり、機能切換用リレー６０の励磁部６１は非励磁となり、各切換片７０，７１は破線から実線のように復帰して切換わり、次の動作開始待ちとなる。
尚、前記電源オフ指令５１は、ＬＯＷ状態の信号よりなるが、その他の場合は、各切換片７０，７１が実線の状態で電源６７が浮いているため、ＨＩＧＨ又はＯＰＥＮ状態となる。
【産業上の利用可能性】
【００１９】
本発明は、制御装置のみならず、一般の駆動装置等のオン／オフ制御にも適用可能である。
【図面の簡単な説明】
【００２０】
【図１】本発明による制御装置本体の遠隔電源制御装置を示すブロック図である。
【図２】図１の要部の回路図である。
【図３】従来構成を示すブロック図である。
【符号の説明】
【００２１】
１    制御装置本体
７    遠隔コントローラ
１１    初期電源
１２    メイン電源
１３，２２    通信回路
４０    電源スイッチ機能切換回路
５０    電源オン指令
５１    電源オフ指令
６０    機能切換用リレー
６１    励磁部
６２，６３    切換スイッチ
７２    電源スイッチ
【図１】
2006271059.tif 000003
【図２】
2006271059.tif 000004
【図３】
2006271059.tif 000005